(57)【要約】      （修正有）【課題】和服に於いて、和洋折衷の観点から、ボタン等を設けることを考え、その欠点ともなりうる、和服の襟の合わせ目の落ち着きのなさを、数ヶ所のボタン、ホック、マジィクテープ、紐等によって、人が着る服としてのサイズをほとんど必要としないという和服の長所を残したまま、着る人の体格、着こなし、気分等にあわせて、和服の襟の形状を段階的に可変とするとともに、その作業を、より間違いの無いようにする。【解決手段】  従来の和風の上着の襟が重なる地点の下側の襟にボタン１、ホック、マジィクテープ、紐等を数ヶ所設け、上側の襟にそれぞれに対応するボタン穴２、ホック受け、受けのマジックテープ、紐等も数ヶ所設けて、必要に応じてボタン等を１箇所（１個か２個、３個・・・）、閉じれるようにする。【選択図】図３
2005060914.tif 000002
【特許請求の範囲】
【請求項１】
従来の和風の上着の襟が重なる地点の下側の襟にボタン（１）、ホック、マジィクテープ、紐等を数ヶ所設け、上側の襟にそれぞれに対応するボタン穴（２）、ホック受け、受けのマジックテープ、紐等も数ヶ所設けて、必要に応じてボタン等を１箇所（１個か２個、３個・・・）、閉じれるようにする。【図１、２、３】
【請求項２】
請求項１のボタンを表に出さず、内側で処理するべく、和風の上着の襟が重なる地点の上側の襟に身体向きにボタン（１）、ホック、マジィクテープ、紐等を数ヶ所設け、下側の襟にそれぞれに対応するボタン穴（２）、ホック受け、受けのマジックテープ、紐等を数ヶ所設けて、ボタンが身体側に出る用にして、必要に応じてボタン等を１箇所（１個か２個、３個・・・）、閉じれるようにする。【図４】
【請求項３】
仮に３つのボタン（１）とボタン穴（２）を設定する場合に、ボタン（１）かそれを縫い付ける糸（３）の色の、どちらか１方か両方と、留める相手のボタン穴を縁取っている糸（４）の色の、ひとそろえを同色にして、他の２そろえとは異なった色にする。【図５】
【発明の詳細な説明】
【発明の詳細な説明】
【技術分野】
【０００１】  本発明は、和服に於いて、和洋折衷の観点から、ボタン等を設けることを考え、考え様によってはその欠点ともなりうる、和服の襟の合わせ目の部分の落ち着きのなさを、数ヶ所のボタン、ホック、マジィクテープ、紐等によって、人が着る服としてのサイズをほとんど必要としないという和服の長所を残したまま、着る人の体格、着こなし、気分等にあわせて、和服の襟の形状を段階的に可変とするとともに、その作業を、より間違いの無いようにする技術に関するものである。
【背景技術】
【０００２】  和服の場合、「上はゆっくり、下はきりっと」という言葉で表されるように、上半身は良くも悪くもゆったり目に、下半身は逆にきっちり目に着こなす、というのがセオリーであり、技術的にもそう作られてきた。
【発明が解決しようとする課題】
【０００３】  それからさまざまな時代の変遷を受け、上半身にも多少きちっとと思っても、それを絞める道具は紐か帯しかなかった。
最近の和服ブームにのるにせよ、それぞれの時代の人の体格、着こなしに対応しなければ、そのブームも所詮一過性のものとなってしまうであろう。
これは、一時の流行商品ではなく、人々とともに時代をわたってゆく、和服の問題であり、ひとつの欠点であるといえよう。
本発明は、この欠点を解決するためになされたものである。
【課題を解決するための手段】
【０００４】  従来の和風の上着の襟が重なる地点の下側の襟にボタン（１）、ホック、マジィクテープ、紐等を数ヶ所設け、上側の襟にそれぞれに対応するボタン穴（２）、ホック受け、受けのマジックテープ、紐等も数ヶ所設けて、必要に応じてボタン等を１箇所（１個か２個、３個・・・）、閉じれるようにする。
【図１、２、３】
【０００５】  請求項１のボタンを表に出さず、内側で処理するべく、和風の上着の襟が重なる地点の上側の襟に身体向きにボタン（１）、ホック、マジィクテープ、紐等を数ヶ所設け、下側の襟にそれぞれに対応するボタン穴（２）、ホック受け、受けのマジックテープ、紐等を数ヶ所設け、ボタンが身体側に出る用にして、必要に応じてボタン等を１箇所（１個か２個、３個・）、閉じれるようにする。
【図４】
【０００６】  仮に３つのボタン（１）とボタン穴（２）を設定する場合に、ボタン（１）かそれを縫い付ける糸（３）の色、どちらか１方か両方と、留める相手のボタン穴を縁取っている糸（４）の色の、ひとそろえを同色にして、他の２そろえとは異なった色にする。
【図５】
本発明は、以上の構成よりなる「Ｘ型ボタンクロス式和服（和洋折衷型上着ＩＩ）」である。
【発明を実施するための最良の形態】
【０００７】  以下、本発明の実施の形態を説明する。
本発明品たる和服は、ボタン（１）を１個しめる事によって、朝から夕方まで長時間にわたって、着る人の体格、着こなし、気分等にあわせて、襟元を自由に広げ得る、美しい着こなしを続けることが可能となる。【０００８】  ボタン（１）とボタン穴（２）が数ヶ所用意されているので、着る人の体格、着こなし、気分等にあわせて、襟元を自由に広げ得て、フレキシブルに対応可能である。【０００９】  基本的には、帯を締める和服、すなわちサイズのない服を想定しているが、本発明は帯ではなく、紐を締める和服、すなわち多くの場合サイズのある服にも十分適合する。【００１０】  そして、ゆっくりとくつろぎたいときには、ボタン（１）とボタン穴（２）を下の方に代えるか、外すかして通常どおりの和服の形で、着物そのものの特性、特長を生かして、くつろぐことが可能である。【００１１】  さらに強固に着こなしを保つために、とめるボタンを複数にしてもよい。
【図６】
【００１２】  またここで、この和服のボタン（１）を外に出さずに、内側で処理するべく、ボタン（１）とボタン穴（２）を付ける和服の襟と、付ける向きを逆にして、すなわち、外側の襟の内側にボタン（１）を着け、内側の襟にボタン穴（２）をあけて、外から一見しただけでは、当該発明品とは、わかりにくくなる方法もある。
【００１３】  最後に、仮に３つのボタン（１）とボタン穴（２）を付け替える作業を、間違いなくするために、とじ合わされるべきボタン（１）か、それを縫い付ける糸（３）、の色と、ボタン穴を縁取っている糸（４）の色の、どちらか１方か両方、ひとそろえを同色にして、他の２そろえとは異なった色にする。
【発明の効果】
【００１４】  １着の着物を、だれでも、いかようにでも着れるという、和服の洋服その他に対する決定的メリットを生かし、あくまでも和服は和服のまま、長時間気続けると不具合が生じてくるというデメリットを、複数のボタンとボタン穴によって出来るだけ解決しようというのが、本発明の趣旨である。
本発明を使用することによって、和服の魅力が倍加し、その影響で営業面では和洋双方に好結果が予想される。
【図面の簡単な説明】
【図１】  ボタンを留めない状態の本件和服の図
【図２】  一番上のボタンを留めた本件和服の図
【図３】  一番下のボタンを留めた本件和服の図
【図４】  外見的にわからない用にした本件和服の側面図
【図５】  ボタンと糸の色に着目した本件和服の図
【図６】  本件和服のボタン２個を留める場合の図
【符号の説明】
１  ボタン
２  ボタン穴
３  ボタンを縫い付ける糸
４  ボタン穴を縁取っている糸
５  赤
６  黄
７  青
８  帯
９  紐
【図１】
2005060914.tif 000003
【図２】
2005060914.tif 000004
【図３】
2005060914.tif 000005
【図４】
2005060914.tif 000006
【図５】
2005060914.tif 000007
【図６】
2005060914.tif 000008